(57)【要約】【課題】  皿ボルトの結合方向への回転を許容しながら緩み方向の回転を規制させ、かつ緩止めテーパリングの共回りを防止できるようにした皿ボルトによる締結技術の提供。【解決手段】  皿ボルト１のネジ部１０をザグリテーパ穴２０に挿通させてベース部材３に結合させることで、被締結物２をベース部材に重合状態に締結させるようにした皿ボルトによる締結構造である。皿ボルトの頭部１１に形成したテーパ面１４と被締結物のザグリテーパ穴の間に介装した緩止めテーパリングに係止突部４０が形成され、この係止突部４０が被締結物のザグリテーパ穴に形成した係止溝２１に係合している。皿ボルトの結合方向の回転時には、皿ボルトの頭部に形成した切欠溝１３が緩止めテーパリングの上縁部に形成した係止爪４１を乗り越えていき、緩み方向の回転時には係止爪に切欠溝が係合する。【選択図】  図２
2006336809.tif 000002
【特許請求の範囲】
【請求項１】
ネジ部の一端に形成された頭部に逆円錐台形状のテーパ面が形成された皿ボルトと、ベース部材に形成したネジ穴に符合するザグリテーパ穴が形成された被締結物とを備え、前記皿ボルトのネジ部をザグリテーパ穴に挿通させてベース部材のネジ穴に結合させることで、被締結物をベース部材に重合状態に締結させるようにした皿ボルトによる締結構造であって、
前記皿ボルトのテーパ面と被締結物のザグリテーパ穴の間に緩止めテーパリングが介装され、
この緩止めテーパリングに、被締結物のザグリテーパ穴に形成した係止溝に係合して該緩止めテーパリングを被締結物に対して回り止めさせる係止突部が形成され、
前記緩止めテーパリングの上縁部に係止爪が形成され、
前記係止爪に係合させる切欠溝が前記皿ボルトの頭部に形成され、
前記係止爪は、皿ボルトの結合方向の回転時には該係止爪を前記切欠溝が乗り越えていき、皿ボルトの緩み方向の回転時には係止爪に前記切欠溝が係合するように、緩止めテーパリングの上縁部を傾斜状に切り起こして形成されていることを特徴とした皿ボルトによる締結構造。
【請求項２】
ネジ部の一端に形成された頭部に逆円錐台形状のテーパ面が形成され、前記頭部に切欠溝が形成された皿ボルトと、
ベース部材に形成したネジ穴に符合するザグリテーパ穴が形成され、このザグリテーパ穴に係止溝が形成された被締結物とを備え、
前記皿ボルトのネジ部をザグリテーパ穴に挿通させてベース部材のネジ穴に結合させることで、被締結物をベース部材に重合状態に締結させるようにした皿ボルトによる締結構造に用いる緩止めテーパリングであって、
この緩止めテーパリングは、前記皿ボルトのテーパ面と被締結物のザグリテーパ穴の間に介装され、
この緩止めテーパリングに、前記被締結物のザグリテーパ穴に形成した係止溝に係合して該緩止めテーパリングを被締結物に対して回り止めさせる係止突部が形成され、
かつこの緩止めテーパリングの上縁部に、前記皿ボルトの頭部に形成した切欠溝に係合させる係止爪が形成され、
この係止爪は、皿ボルトの結合方向の回転時には該係止爪を前記切欠溝が乗り越えていき、皿ボルトの緩み方向の回転時には係止爪に前記切欠溝が係合するように、傾斜状に切り起こして形成されていることを特徴とした緩止めテーパリング。
【請求項３】
外周面に逆円錐台形状のテーパ面が形成されたテーパナットと、ベース部材に形成したネジ穴に符合するザグリテーパ穴が形成された被締結物と、前記ザグリテーパ穴に挿通してベース部材のネジ穴に結合するボルトを備え、前記ボルトにテーパナットを結合させることで、被締結物をベース部材に重合状態に締結させるようにしたテーパナットによる締結構造であって、
前記テーパナットのテーパ面と被締結物のザグリテーパ穴の間に緩止めテーパリングが介装され、
この緩止めテーパリングに、被締結物のザグリテーパ穴に形成した係止溝に係合して該緩止めテーパリングを被締結物に対して回り止めさせる係止突部が形成され、
前記緩止めテーパリングの上縁部に係止爪が形成され、
前記係止爪に係合させる切欠溝が前記テーパナットに形成され、
前記係止爪は、テーパナットの結合方向の回転時には該係止爪を前記切欠溝が乗り越えていき、テーパナットの緩み方向の回転時には係止爪に前記切欠溝が係合するように、緩止めテーパリングの上縁部を傾斜状に切り起こして形成されていることを特徴としたテーパナットによる締結構造。
【請求項４】
外周面に逆円錐台形状のテーパ面が形成されると共に切欠溝が形成されたテーパナットと、
ベース部材に形成したネジ穴に符合するザグリテーパ穴が形成され、このザグリテーパ穴に係止溝が形成された被締結物と、
前記ザグリテーパ穴に挿通してベース部材のネジ穴に結合するボルトを備え、
前記ボルトにテーパナットを結合させることで、被締結物をベース部材に重合状態に締結させるようにしたテーパナットによる締結構造に用いる緩止めテーパリングであって、
この緩止めテーパリングは、前記テーパナットのテーパ面と被締結物のザグリテーパ穴の間に介装され、
この緩止めテーパリングに、前記被締結物のザグリテーパ穴に形成した係止溝に係合して該緩止めテーパリングを被締結物に対して回り止めさせる係止突部が形成され、
かつこの緩止めテーパリングの上縁部に、前記テーパナットに形成した切欠溝に係合させる係止爪が形成され、
この係止爪は、テーパナットの結合方向の回転時には該係止爪を前記切欠溝が乗り越えていき、テーパナットの緩み方向の回転時には係止爪に前記切欠溝が係合するように、傾斜状に切り起こして形成されていることを特徴とした緩止めテーパリング。
【発明の詳細な説明】
【技術分野】
【０００１】
本発明は、皿ボルトを用いた締結構造及びこの締結構造に用いる緩止めテーパリング、並びにテーパナットによる締結構造及びこの締結構造に用いる緩止めテーパリングに関する。
【背景技術】
【０００２】
従来、皿ボルトを用いた締結構造において、皿ボルトの回り止め構造（緩止め構造）として、皿ボルトの頭部逆円錐面に回り止めキーを突出させ、この回り止めキーを、被締結物のザグリテーパ穴に形成したキー溝、又は座金に形成したキー溝に係合させることで、皿ボルトを回り止めさせるようにしたものが知られている（特許文献１参照）。
【０００３】
しかしながら、この回り止め構造では、回り止めキーをザグリテーパ穴のキー溝に係合させた場合は皿ボルトがロックされてしまい、皿ボルトを緩み方向だけでなく、結合方向にも回転させることができなくなり、この皿ボルト自体を回して結合させていくことができないという問題が生じる。
【０００４】
又、回り止めキーを座金のキー溝に係合させた場合は座金に対する皿ボルトの回り止めはできるが、被締結物に対する座金の回り止め手段がないため、座金が皿ボルトと共回りしてしまうという問題が生じる。
【特許文献１】特開平７−３０１２２０号公報
【発明の開示】
【発明が解決しようとする課題】
【０００５】
本発明は、上記の問題を解決するためになされたもので、皿ボルト又はテーパナットと被締結物のザグリテーパ穴の間に介在させる緩止めテーパリングを用いて、皿ボルト又はテーパナットを緩止めさせるようにしたもので、皿ボルト又はテーパナットの結合方向への回転を許容しながら緩み方向の回転を規制させ、かつ緩止めテーパリングの共回りを防止できるようにした皿ボルトによる締結構造及びこの締結構造に用いる緩止めテーパリング、並びにテーパナットによる締結構造及びこの締結構造に用いる緩止めテーパリングを提供することを課題としている。
【課題を解決するための手段】
【０００６】
上記の課題を解決するために、本発明（請求項１）の皿ボルトによる締結構造は、
ネジ部の一端に形成された頭部に逆円錐台形状のテーパ面が形成された皿ボルトと、ベース部材に形成したネジ穴に符合するザグリテーパ穴が形成された被締結物とを備え、前記皿ボルトのネジ部をザグリテーパ穴に挿通させてベース部材のネジ穴に結合させることで、被締結物をベース部材に重合状態に締結させるようにした皿ボルトによる締結構造であって、
前記皿ボルトのテーパ面と被締結物のザグリテーパ穴の間に緩止めテーパリングが介装され、
この緩止めテーパリングに、被締結物のザグリテーパ穴に形成した係止溝に係合して該緩止めテーパリングを被締結物に対して回り止めさせる係止突部が形成され、
前記緩止めテーパリングの上縁部に係止爪が形成され、
前記係止爪に係合させる切欠溝が前記皿ボルトの頭部に形成され、
前記係止爪は、皿ボルトの結合方向の回転時には該係止爪を前記切欠溝が乗り越えていき、皿ボルトの緩み方向の回転時には係止爪に前記切欠溝が係合するように、緩止めテーパリングの上縁部を傾斜状に切り起こして形成されている構成とした。
【０００７】
又、本発明（請求項２）の緩止めテーパリングは、
ネジ部の一端に形成された頭部に逆円錐台形状のテーパ面が形成され、前記頭部に切欠溝が形成された皿ボルトと、
ベース部材に形成したネジ穴に符合するザグリテーパ穴が形成され、このザグリテーパ穴に係止溝が形成された被締結物とを備え、
前記皿ボルトのネジ部をザグリテーパ穴に挿通させてベース部材のネジ穴に結合させることで、被締結物をベース部材に重合状態に締結させるようにした皿ボルトによる締結構造に用いる緩止めテーパリングであって、
この緩止めテーパリングは、前記皿ボルトのテーパ面と被締結物のザグリテーパ穴の間に介装され、
この緩止めテーパリングに、前記被締結物のザグリテーパ穴に形成した係止溝に係合して該緩止めテーパリングを被締結物に対して回り止めさせる係止突部が形成され、
かつこの緩止めテーパリングの上縁部に、前記皿ボルトの頭部に形成した切欠溝に係合させる係止爪が形成され、
この係止爪は、皿ボルトの結合方向の回転時には該係止爪を前記切欠溝が乗り越えていき、皿ボルトの緩み方向の回転時には係止爪に前記切欠溝が係合するように、傾斜状に切り起こして形成されている構成とした。
【０００８】
又、本発明（請求項３）のテーパナットによる締結構造は、
外周面に逆円錐台形状のテーパ面が形成されたテーパナットと、ベース部材に形成したネジ穴に符合するザグリテーパ穴が形成された被締結物と、前記ザグリテーパ穴に挿通してベース部材のネジ穴に結合するボルトを備え、前記ボルトにテーパナットを結合させることで、被締結物をベース部材に重合状態に締結させるようにしたテーパナットによる締結構造であって、
前記テーパナットのテーパ面と被締結物のザグリテーパ穴の間に緩止めテーパリングが介装され、
この緩止めテーパリングに、被締結物のザグリテーパ穴に形成した係止溝に係合して該緩止めテーパリングを被締結物に対して回り止めさせる係止突部が形成され、
前記緩止めテーパリングの上縁部に係止爪が形成され、
前記係止爪に係合させる切欠溝が前記テーパナットに形成され、
前記係止爪は、テーパナットの結合方向の回転時には該係止爪を前記切欠溝が乗り越えていき、テーパナットの緩み方向の回転時には係止爪に前記切欠溝が係合するように、緩止めテーパリングの上縁部を傾斜状に切り起こして形成されている構成とした。
【０００９】
又、本発明（請求項４）の緩止めテーパリングは、
外周面に逆円錐台形状のテーパ面が形成されると共に切欠溝が形成されたテーパナットと、
ベース部材に形成したネジ穴に符合するザグリテーパ穴が形成され、このザグリテーパ穴に係止溝が形成された被締結物と、
前記ザグリテーパ穴に挿通してベース部材のネジ穴に結合するボルトを備え、
前記ボルトにテーパナットを結合させることで、被締結物をベース部材に重合状態に締結させるようにしたテーパナットによる締結構造に用いる緩止めテーパリングであって、
この緩止めテーパリングは、前記テーパナットのテーパ面と被締結物のザグリテーパ穴の間に介装され、
この緩止めテーパリングに、前記被締結物のザグリテーパ穴に形成した係止溝に係合して該緩止めテーパリングを被締結物に対して回り止めさせる係止突部が形成され、
かつこの緩止めテーパリングの上縁部に、前記テーパナットに形成した切欠溝に係合させる係止爪が形成され、
この係止爪は、テーパナットの結合方向の回転時には該係止爪を前記切欠溝が乗り越えていき、テーパナットの緩み方向の回転時には係止爪に前記切欠溝が係合するように、傾斜状に切り起こして形成されている構成とした。
【発明の効果】
【００１０】
本発明では、皿ボルト又はテーパナットに形成したテーパ面と被締結物のザグリテーパ穴の間に緩止めテーパリングを介在させるもので、この緩止めテーパリングに形成した係止突部を、被締結物のザグリテーパ穴に形成した係止溝に係合させるため、この緩止めテーパリングを被締結物に対して回り止めさせることができる。
【００１１】
又、緩止めテーパリングの上縁部に形成した係止爪と、皿ボルト又はテーパナットに形成した切欠溝との係合については、皿ボルト又はテーパナットの結合方向の回転時には切欠溝が係止爪を乗り越えていき、緩み方向の回転時には切欠溝が係止爪に係合するため、結合方向への回転を許容しながら緩み方向の回転を規制させることができる。
【００１２】
これにより、皿ボルト自体又はテーパナット自体を回して結合させていくことを可能にしながら、緩止めさせることができる。
【発明を実施するための最良の形態】
【００１３】
図１〜図８は第１実施例の締結構造を示すもので、図１はその締結構造の平面図、図２はその締結構造の断面図、図３はこの締結構造に用いる皿ボルトの平面図、図４はその皿ボルトの正面図、図５はこの締結構造に用いる被締結物のザグリテーパ穴を示す平面図、図６はその被締結物の断面図、図７はこの締結構造に用いる緩止めテーパリングの平面図、図８はその緩止めテーパリングの正面図である。
なお、図１及び図８において、緩止めテーパリング４の上縁に形成した数個の係止爪４１のうち、正面中央部の係止爪のみを図示し、他の係止爪の図示は省略した。
【００１４】
この締結構造は、図１及び図２に示すように、皿ボルト１を用いて被締結物２をベース部材３に重合状態に締結させるもので、緩止めテーパリング４を緩止め手段として備えている。
【００１５】
前記皿ボルト１は、図３及び図４に示すように、ネジ部１０の一端に形成した頭部１１に逆円錐台形状のテーパ面１４が形成され、その頭部１１の上面にマイナスドライバー工具を係合させるためのマイナス溝１２が形成され、このマイナス溝１２の両端がテーパ面１４上に至る切欠溝１３として形成されている。
【００１６】
前記被締結物２には、図５及び図６に示すように、ベース部材３に形成したネジ穴３０に符合するザグリテーパ穴２０が形成され、このザグリテーパ穴２０の底部分に２個の係止溝２１が形成されている。
【００１７】
前記緩止めテーパリング４は、前記皿ボルト１のテーパ面１４と被締結物２のザグリテーパ穴２０の間に介装されるもので、その下縁部に２個の係止突部４０が突設され、かつ上縁部に数個（実施例では１２個）の係止爪４１が形成されている。
【００１８】
前記係止爪４１は、緩止めテーパリング４の上縁部を傾斜状に切り起こして形成されるもので、皿ボルト１の結合回転方向（矢印Ａ方向：右回り）に向けて若干の角度で立ち上がるように切り起こされている。
この場合の加工は、緩止めテーパリング４の上縁から下向きに切込線４２を形成させ、この切込線４２の下端から緩止めテーパリング４の上縁までを底辺４３とする三角形部分が係止爪４１となるように、前記底辺４３を折り線として谷折させて緩止めテーパリング４の内側に若干の角度で起こすようにプレス加工したものである。
【００１９】
そして、図１及び図２に示すように、ベース部材３に形成したネジ穴３０に被締結物２のザグリテーパ穴２０を符合させるように、被締結物２をベース部材３に重ねる。
次に、ザグリテーパ穴２０内に緩止めテーパリング４を嵌め込むもので、このとき、緩止めテーパリング４の係止突部４０を被締結物２のザグリテーパ穴２０に形成した係止溝２１に係合させる。
これにより、被締結物２に対して緩止めテーパリング４を回り止めさせることができる。
【００２０】
次に、前記皿ボルト１のネジ部１０を緩止めテーパリング４及びザグリテーパ穴２０に挿通させてベース部材３のネジ穴３０に結合（螺合）させることで、被締結物２をベース部材３に重合状態に締結させるものである。
このとき、緩止めテーパリング４の係止爪４１が、皿ボルト１の結合回転方向（矢印Ａ方向）に向けて若干の角度で立ち上がるように切り起こされているため、皿ボルト１をネジ込んでいく際に、頭部１１に形成した切欠溝１３が前記係止爪４１の上を乗り越えていき、皿ボルト１の結合方向への回転を許容させることができる。
【００２１】
そして、皿ボルト１を十分にネジ込んだのちは、皿ボルト１が緩止めされるもので、この場合、前記係止爪４１が切り起こされているため、皿ボルト１の緩み方向の回転を、係止爪４１に切欠溝１３が係合することで規制させることができる。
【００２２】
次に、図９〜図１４は第２実施例の締結構造を示すもので、図９はその締結構造の平面図、図１０はその締結構造の断面図、図１１はこの締結構造に用いる被締結物のザグリテーパ穴を示す平面図、図１２はその被締結物の断面図、図１３はこの締結構造に用いる緩止めテーパリングの平面図、図１４はその緩止めテーパリングの正面図である。
なお、図１０及び図１４において、緩止めテーパリング４の上縁に形成した数個の係止爪４１のうち、正面中央部の係止爪のみを図示し、他の係止爪の図示は省略した。
【００２３】
この締結構造では、被締結物２の係止溝２１がザグリテーパ穴２０の上縁部に形成され、この係止溝２１に係合させる緩止めテーパリング４の係止突部４０が緩止めテーパリング４の上縁部に形成されている。
なお、その他の構成及び作用は前記第１実施例と同様である。
【００２４】
次に、図１５〜図１８は皿ボルトの他例を示す平面図である。
図１５の皿ボルト１は、頭部１１の上面に、マイナスドライバー工具を係合させるためのマイナス溝１２と、六角レンチ工具を嵌め込むための六角穴１５とが形成されたもので、マイナス溝１２の両端が切欠溝１３として形成されている。
【００２５】
図１６の皿ボルト１は、頭部１１の上面に六角レンチ工具を嵌め込むための六角穴１５が形成され、頭部１１の外周縁部に３個の切欠溝１３が１２０度等配間隔で形成されている。
【００２６】
図１７の皿ボルト１は、頭部１１の上面に六角レンチ工具を嵌め込むための六角穴１５が形成され、頭部１１の外周縁部に９個の切欠溝１３が４０度等配間隔で形成されている。
【００２７】
図１８の皿ボルト１は、頭部１１の上面にプラスドライバー工具を係合させるためのプラス溝１６が形成され、頭部１１の外周縁部に９個の切欠溝１３が４０度等配間隔で形成されている。
【００２８】
次に、図１９及び図２０は皿ボルトの他例を示す正面図である。
図１９の皿ボルト１は、頭部１１のテーパ面１４が下側テーパ面１４ａと、この下側テーパ面１４ａから内側に段差を形成させた上側テーパ面１４ｂによる段付きテーパ面に形成され、又、図２０の皿ボルト１は、頭部１１のテーパ面が段付きテーパ面に形成される共に、その上側テーパ面１４ｂに滑り止め用筋１４ｃが形成されている。
このように、上側テーパ面１４ｂを段差を持って形成させると、皿ボルト１を締結させる際に、緩止めテーパリング４の内面と上側テーパ面１４ｂとの間に隙が生じる。このため、テーパ面１４によって係止爪４１が完全に押し戻されることなく、この隙によって係止爪４１が若干切り起こされた状態に残り、係止爪４１の切欠溝１３に対する係合を確実に確保させることができる。
又、この上側テーパ面１４ｂに滑り止め用筋１４ｃが形成させると、この滑り止め用筋１４ｃに係止爪４１を係合させることができ、より確実な皿ボルト１の回り止め（緩み止め）が可能になる。
なお、前記図１９及び図２０の段付きテーパ面を前記した図１５〜図１８で示した皿ボルトのテーパ面に適用できるのは勿論である。
【００２９】
図２１〜図２８は第３実施例の締結構造を示すもので、図２１はその締結構造の平面図、図２２はその締結構造の断面図、図２３はこの締結構造に用いるテーパナットの平面図、図２４はそのテーパナットの正面図、図２５はこの締結構造に用いる被締結物のザグリテーパ穴を示す平面図、図２６はその被締結物の断面図、図２７はこの締結構造に用いる緩止めテーパリングの平面図、図２８はその緩止めテーパリングの正面図である。
【００３０】
この締結構造は、図２１及び図２２に示すように、テーパナット５を用いて被締結物２をベース部材３に重合状態に締結させるもので、緩止めテーパリング４を緩止め手段として備えている。
【００３１】
前記テーパナット５は、図２３及び図２４に示すように、中央に雌ネジ５５が形成され、外周面の一端側に逆円錐台形状のテーパ面５０が形成されると共に、このテーパ面５０上に至るように１個の切欠溝５１が形成されている。
【００３２】
前記被締結物２には、図２５及び図２６に示すように、ベース部材３に形成したネジ穴３０に符合するザグリテーパ穴２０が形成され、このザグリテーパ穴２０の底部分に２個の係止溝２１が形成されている。
【００３３】
前記緩止めテーパリング４は、前記テーパナット５のテーパ面５０と被締結物２のザグリテーパ穴２０の間に介装されるもので、その下縁部に２個の係止突部４０が突設され、かつ上縁部に１個の係止爪４１が形成されている。
この場合、テーパリング４の上縁部に垂直立上げ部４５が形成され、この垂直立上げ部４５に係止爪４１がテーパナット５の結合回転方向（矢印Ａ方向）に向けて若干の角度で起きるように内向きに切り起こされている
【００３４】
そして、図２１及び図２２に示すように、ベース部材３のネジ穴３０にボルト６の下端部を結合（螺合）させ、このボルト６にザグリテーパ穴２０を通すことで被締結物２をベース部材３に重ねる。
次に、前記ボルト６に緩止めテーパリング４を通すことで、ザグリテーパ穴２０内に緩止めテーパリング４を嵌め込むもので、このとき、緩止めテーパリング４の係止突部４０を被締結物２のザグリテーパ穴２０に形成した係止溝２１に係合させる。
これにより、被締結物２に対して緩止めテーパリング４を回り止めさせることができる。
【００３５】
次に、前記テーパナット５の雌ネジ５５をボルト６の上端部に結合（螺合）させることで、被締結物２をベース部材３に重合状態に締結させるものである。
このとき、緩止めテーパリング４の係止爪４１が、テーパナット５の結合回転方向（矢印Ａ方向）に向けて若干の角度で立ち上がるように切り起こされているため、テーパナット５をネジ込んでいく際に、切欠溝５１が前記係止爪４１の上を乗り越えていき、テーパナット５の結合方向への回転を許容させることができる。
【００３６】
そして、テーパナット５を十分にネジ込んだのちは、テーパナット５が緩止めされるもので、この場合、前記係止爪４１が切り起こされているため、テーパナット５の緩み方向の回転を、係止爪４１に切欠溝５１が係合することで規制させることができる。
【００３７】
次に、図２９〜図３４は第４実施例の締結構造を示すもので、図２９はその締結構造の平面図、図３０はその締結構造の断面図、図３１はこの締結構造に用いる被締結物のザグリテーパ穴を示す平面図、図３２はその被締結物の断面図、図３３はこの締結構造に用いる緩止めテーパリングの平面図、図３４はその緩止めテーパリングの正面図である。
【００３８】
この締結構造では、被締結物２の係止溝２１がザグリテーパ穴２０の上縁部に形成され、この係止溝２１に係合させる緩止めテーパリング４の係止突部４０が緩止めテーパリング４の上縁部に形成されている。
なお、その他の構成及び作用は前記第３実施例と同様である。
【００３９】
次に、図３５〜図３８はテーパナットの他例を示す平面図である。
図３５のテーパナット５は切欠溝５１が３個形成されたもの、図３６のテーパナット５は切欠溝５１が１６個形成されたもの、図３７及び図３８のテーパナット５は切欠溝５１の奥から結合逆回転方向（矢印Ｂ方向）の外周に向けて傾斜面５２が形成されたものである。
【００４０】
次に、図３９及び図４０はテーパナット５の他例を示す正面図である。
図３９のテーパナット５は、前記図１９及び図２０で示したと同様に、テーパ面５０が下側テーパ面５０ａと、この下側テーパ面５０ａから内側に段差を形成させた上側テーパ面５０ｂによる段付きテーパ面に形成され、又、図４０のテーパナット５は、テーパ面５０が段付きテーパ面に形成される共に、その上側テーパ面５０ｂに滑り止め用筋５０ｃが形成されている。
なお、前記図３９及び図４０の段付きテーパ面を図３５〜図３８で示したテーパナットのテーパ面に適用できるのは勿論である。
【００４１】
次に、図４１〜図４４は緩止めテーパリング４の他例を示す平面図である。
図４１の緩止めテーパリング４は、下縁部に２個の係止突部４０が突設され、上縁部に６個の係止爪４１が形成されたもの、図４２の緩止めテーパリング４は、下縁部に２個の係止突部４０が突設され、上縁部に多数の係止爪４１が形成されたもの、図４３の緩止めテーパリング４は、上縁部に２個の係止突部４０が突設されると共に、上縁部に６個の係止爪４１が形成されたもの、図４４の緩止めテーパリング４は、上縁部に２個の係止突部４０が突設されると共に、上縁部に多数の係止爪４１が形成されたものである。
【図面の簡単な説明】
【００４２】
【図１】第１実施例の締結構造の平面図。
【図２】その締結構造の断面図。
【図３】この締結構造に用いる皿ボルトの平面図。
【図４】その皿ボルトの正面図。
【図５】この締結構造に用いる被締結物のザグリテーパ穴を示す平面図。
【図６】その被締結物の断面図。
【図７】この締結構造に用いる緩止めテーパリングの平面図。
【図８】その緩止めテーパリングの正面図。
【図９】第２実施例の締結構造の平面図。
【図１０】その締結構造の断面図。
【図１１】この締結構造に用いる被締結物のザグリテーパ穴を示す平面図。
【図１２】その被締結物の断面図。
【図１３】この締結構造に用いる緩止めテーパリングの平面図。
【図１４】その緩止めテーパリングの正面図。
【図１５】皿ボルトの他例を示す平面図。
【図１６】皿ボルトの他例を示す平面図。
【図１７】皿ボルトの他例を示す平面図。
【図１８】皿ボルトの他例を示す平面図。
【図１９】皿ボルトの他例を示す正面図。
【図２０】皿ボルトの他例を示す正面図。
【図２１】第３実施例の締結構造の平面図。
【図２２】その締結構造の断面図。
【図２３】この締結構造に用いるテーパナットの平面図。
【図２４】そのテーパナットの正面図。
【図２５】この締結構造に用いる被締結物のザグリテーパ穴を示す平面図。
【図２６】その被締結物の断面図。
【図２７】この締結構造に用いる緩止めテーパリングの平面図。
【図２８】その緩止めテーパリングの正面図。
【図２９】第４実施例の締結構造の平面図。
【図３０】その締結構造の断面図。
【図３１】この締結構造に用いる被締結物のザグリテーパ穴を示す平面図。
【図３２】その被締結物の断面図。
【図３３】この締結構造に用いる緩止めテーパリングの平面図。
【図３４】その緩止めテーパリングの正面図。
【図３５】テーパナットの他例を示す平面図。
【図３６】テーパナットの他例を示す平面図。
【図３７】テーパナットの他例を示す平面図。
【図３８】テーパナットの他例を示す平面図。
【図３９】テーパナットの他例を示す正面図。
【図４０】テーパナットの他例を示す正面図。
【図４１】緩止めテーパリングの他例を示す平面図。
【図４２】緩止めテーパリングの他例を示す平面図。
【図４３】緩止めテーパリングの他例を示す平面図。
【図４４】緩止めテーパリングの他例を示す平面図。
【符号の説明】
【００４３】
１  皿ボルト
１０  ネジ部
１１  頭部
１２  マイナス溝
１３  切欠溝
１４  テーパ面
１４ａ  下側テーパ面
１４ｂ  上側テーパ面
１４ｃ  滑り止め用筋
１５  六角穴
１６  プラス溝
２  被締結物
２０  ザグリテーパ穴
２１  係止溝
３  ベース部材
３０  ネジ穴
４  緩止めテーパリング
４０  係止突部
４１  係止爪
４２  切込線
４３  底辺
４５  垂直立上げ部
５  テーパナット
５０  テーパ面
５０ａ  下側テーパ面
５０ｂ  上側テーパ面
５０ｃ  滑り止め用筋
５１  切欠溝
５２  傾斜面
５５  雌ネジ
６  ボルト
【図１】
2006336809.tif 000003
【図２】
2006336809.tif 000004
【図３】
2006336809.tif 000005
【図４】
2006336809.tif 000006
【図５】
2006336809.tif 000007
【図６】
2006336809.tif 000008
【図７】
2006336809.tif 000009
【図８】
2006336809.tif 000010
【図９】
2006336809.tif 000011
【図１０】
2006336809.tif 000012
【図１１】
2006336809.tif 000013
【図１２】
2006336809.tif 000014
【図１３】
2006336809.tif 000015
【図１４】
2006336809.tif 000016
【図１５】
2006336809.tif 000017
【図１６】
2006336809.tif 000018
【図１７】
2006336809.tif 000019
【図１８】
2006336809.tif 000020
【図１９】
2006336809.tif 000021
【図２０】
2006336809.tif 000022
【図２１】
2006336809.tif 000023
【図２２】
2006336809.tif 000024
【図２３】
2006336809.tif 000025
【図２４】
2006336809.tif 000026
【図２５】
2006336809.tif 000027
【図２６】
2006336809.tif 000028
【図２７】
2006336809.tif 000029
【図２８】
2006336809.tif 000030
【図２９】
2006336809.tif 000031
【図３０】
2006336809.tif 000032
【図３１】
2006336809.tif 000033
【図３２】
2006336809.tif 000034
【図３３】
2006336809.tif 000035
【図３４】
2006336809.tif 000036
【図３５】
2006336809.tif 000037
【図３６】
2006336809.tif 000038
【図３７】
2006336809.tif 000039
【図３８】
2006336809.tif 000040
【図３９】
2006336809.tif 000041
【図４０】
2006336809.tif 000042
【図４１】
2006336809.tif 000043
【図４２】
2006336809.tif 000044
【図４３】
2006336809.tif 000045
【図４４】
2006336809.tif 000046